(57)【要約】  【課題】作業員が容易に手の届く箇所に設置されるピットはしごを使用してエレベータホールとピットとの間を昇降できるようにし、また、昇降路内の機器のレイアウトの自由度を向上させるピットはしご付きエレベータかごを提供する。  【解決手段】本発明のピットはしご付きエレベータかごは、エレベータかご11の下部の出入口側に回転機構17を介してはしご13の一端を連結し、エレベータかごの下側にはしごを水平状態に保持するはしご保持手段14を設けたものである。  【選択図】図１
2007204158.tif 000002
【特許請求の範囲】
【請求項１】
エレベータかごの下部の出入口側に回転機構を介してはしごの一端を連結し、
前記エレベータかごの下側に前記はしごを水平状態に保持するはしご保持手段を設けたことを特徴とするピットはしご付きエレベータかご。
【請求項２】
前記はしごは、折畳み収納式のもの又はスライド伸縮するものであることを特徴とする請求項１に記載のピットはしご付きエレベータかご。
【請求項３】
前記回転機構に前記はしごを水平状態と垂直状態との間で回転させるモータを設けたことを特徴とする請求項１に記載のピットはしご付きエレベータかご。
【請求項４】
エレベータかごの下部の出入口側で、かつ利用者のかご室への昇降の障害とならない箇所に、はしご設置スペースを設け、
前記はしご設置スペースに、使用時には下方へ繰出し収納時には当該はしご設置スペース内に収納できるようにピットはしごを設置したことを特徴とするピットはしご付きエレベータかご。
【請求項５】
前記はしごは、折畳み収納式のもの又はスライド伸縮するものであることを特徴とする請求項４に記載のピットはしご付きエレベータかご。
【発明の詳細な説明】
【技術分野】
【０００１】
本発明は、エレベータの昇降路の最下部に設けられるピットエレベータホールとの間の昇降に使用するためのピットはしごを備えたピットはしご付きエレベータかごに関する。
【背景技術】
【０００２】
通常、エレベータ設備では、点検や補修等のメンテナンス作業を行うためにエレベータホールとエレベータ昇降路の最下部に設けられたピットとの間を作業員が昇降する必要がある。
【０００３】
図１５は、従来のエレベータ設備において、エレベータの昇降路１０の最下部にエレベータかご１が位置する状態での設備レイアウトである。かご１が昇降する昇降路１０内の最下部に作業用のピットが設けられている。そしてこのピットの部分において、かご１を案内する一対のガイドレール２にはしご取付け腕３を設置し、そのはしご取付け腕３から昇降路１０に常設のはしご４を設けることで、作業員がこのはしご４を使用してエレベータホール５とピットとの間を昇降するようにしている。尚、図１５において、６は調速機、７は釣合重り、８はテールコード、９は昇降路壁であり、これらの調速機６、釣合重り７、テールコード８は昇降路１０内の設置される機器である。
【０００４】
このピットはしごは、作業員がメンテナンス作業時にエレベータホール５とピットとの間を昇降するのに使用するものであるので、エレベータホール５の近くに設置する必要がある。しかしながら、かご１の昇降するスペースに設置するとかご１と衝突するので、かご１の昇降スペースを避けつつ、エレベータホール５の近くに設置しなければならない。
【０００５】
ところが、従来のエレベータ設備では、かごが大きく、したがってかご昇降スペースが広い場合には、エレベータホールから大きく離れた場所にピットはしごを設置しなければならないことがあり、そのようなレイアウトの場合には、作業員はメンテナンス作業時にエレベータホールから身を乗り出してピットはしごを掴み、それに乗り移らなければならない無理を強いることがある問題点があった。
【０００６】
他方、ピットはしごを昇降路内に設置するためにはその設置スペースを確保する必要があり、ひいてはエレベータ設備の昇降路内の機器のレイアウトに制限を課することになる問題点もあった。
【０００７】
さらに、ピットはしごがエレベータ昇降路内に常設されていると、特に、昇降路壁９がガラス張りである展望用エレベータ等では、ピットはしご装置が利用客に見えてしまい、見栄えを損なう問題点もあった。
【特許文献１】特開平９−４８５６７号公報
【発明の開示】
【発明が解決しようとする課題】
【０００８】
本発明は、上記のような従来技術の問題点に鑑みてなされたもので、作業員が容易に手の届く箇所に設置されるピットはしごを使用してエレベータホールとピットとの間を昇降できるようにすることができ、また、エレベータ昇降路内の機器のレイアウトの自由度を向上させ、また昇降路壁がガラス張りである展望用エレベータ等での美観を向上させることができるピットはしご付きエレベータかごを提供することを目的とする。
【課題を解決するための手段】
【０００９】
請求項１の発明のピットはしご付きエレベータかごは、エレベータかごの下部の出入口側に回転機構を介してはしごの一端を連結し、前記エレベータかごの下側に前記はしごを水平状態に保持するはしご保持手段を設けたものである。
【００１０】
請求項２の発明は、請求項１のピットはしご付きエレベータかごにおいて、前記はしごは、折畳み収納式のもの又はスライド伸縮するものであることを特徴とするものである。
【００１１】
請求項３の発明は、請求項１のピットはしご付きエレベータかごにおいて、前記回転機構に前記はしごを水平状態と垂直状態との間で回転させるモータを設けたことを特徴とするものである。
【００１２】
請求項４の発明のピットはしご付きエレベータかごは、エレベータかごの下部の出入口側で、かつ利用者のかご室への昇降の障害とならない箇所に、はしご設置スペースを設け、前記はしご設置スペースに、使用時には下方へ繰出し収納時には当該はしご設置スペース内に収納できるようにピットはしごを設置したものである。
【００１３】
請求項５の発明は、請求項４のピットはしご付きエレベータかごにおいて、前記はしごは、折畳み収納式のもの又はスライド伸縮するものであることを特徴とするものである。
【発明の効果】
【００１４】
本発明によれば、ピットはしごをエレベータかごの下部に収納し、必要な時にだけ起こしたり伸ばしたりして使用できるようにしたので、作業員が容易に手の届く箇所でエレベータホールとピットとの間を昇降できるようにすることができ、また、エレベータ昇降路内の機器のレイアウトの自由度を向上させ、また昇降路壁がガラス張りである展望用エレベータ等での美観を向上させることができる。
【発明を実施するための最良の形態】
【００１５】
以下、本発明の実施の形態を図に基づいて詳説する。
【００１６】
（第１の実施の形態）本発明の第１の実施の形態のピットはしご付きエレベータかごを、図１〜図３を用いて説明する。本実施の形態のピットはしご付きエレベータかごは、かご枠１１内にかご室１が形成され、下部のかご枠１１から防振ゴム１２を介して支えられている。このかご枠１１の下部の外側に図２に示すブラケット１７とピン１５にて、はしご１３が水平な収納状態（この状態のはしごをはしご１３ａとする）と垂直な使用状態（この状態のはしごをはしご１３ｂとする）との間で９０度回転可能にその一端を支持させてある。このはしご１３の取付け箇所は、かご室１の下部の出入口側である。また、はしご１３の水平な収納状態を保持するために、かご枠１１の下部の外側の回転支持金具１７からはしごの長手方向に適当な長さだけ離れた箇所に、図３に示すようなロック機構１４をピン１４ａにて回転可能に取付け、はしご１３ａの側部材に取付けた突出部１８をロック機構１４の凹部に係止させるようにしてある。尚、図中１６はトーガードである。
【００１７】
本実施の形態のピットはしご付きエレベータかごでは、作業員がピットはしご１３を使用する際は、まずエレベータかごを最下階から収納状態のはしご１３ａが手の届くところで停止させ、かご枠１１とはしご１３ａとを固定しているロック機構１４を外す。ロック機構１４は図３に示すように、かご枠１１との締結部を回転フリーにすべくピン１４ａにより取付けてあり、はしご１３に設けられた突出部１８にロック機構１４を嵌め込んで係止させることで収納時のはしご１３ａを水平状態で固定させている。
【００１８】
ロック機構１４を外すと、はしご１３は重力によりピン１５を中心として下方へ回転移動し、ほぼ垂直な使用状態のはしご１３ｂに至る。尚、はしご使用時ないし回転移動時にはしご１３の可動範囲が９０度以上行き過ぎることを防止するため、ピン１５とかご枠１１を固定しているブラケット１７に図２に示すようなストッパ部１７ａが設けてある。
【００１９】
ピットはしご１３を収納する時には、最下階からはしご１３を収納方向へ回転させながら引き上げて、ロック機構１４にてはしご１３ａを下部のかご枠１１に固定する。尚、ピン１５は容易に取り外すことができ、はしご１３の着脱が可能であるため、ピット作業時にかご１が上記位置に停止できない場合などでは、はしご１３を取り外してピット底面からエレベータホール５へ立てかけて使用することもできる。
【００２０】
本実施の形態によれば、ピットはしご１３がエレベータホール５の近くに設けられるため、作業員が身を乗り出すことなく安全にピットとエレベータホールとの間を昇降することができ、未使用時にはピットはしご１３をかご下部に収納できるため、利用客の視界に入りづらく、美観性に優れたピットはしご付きエレベータかごを提供できる。また、ロック機構１４を外すのみではしご１３が使用可能となるために作業性も良好であり、加えて、従来ピットはしごを設置していた昇降路にそのはしご設置のためのスペースが不要となるため、昇降路内機器のレイアウトを制限していた１つの要素を排除できる。
【００２１】
（第２の実施の形態）本発明の第２の実施の形態のピットはしご付きエレベータかごを、図４〜図８を用いて説明する。本実施の形態は、ピットはしごを折畳み式とし、これを第１の実施の形態と同様にエレベータかご１の下部に折畳み状態で水平に収納し、使用時には引き延ばして垂直にして使用するようにしたことを特徴とする。
【００２２】
本実施の形態では、第１の実施の形態と同様、図２に示すストッパ兼用取付ブラケット１７によって折畳み収納式はしご２０がかご室１を防振ゴム１２を介して支持するかご枠１１の下部に回転可能に支持し、収納時には第１の実施の形態と同様、図３に示すロック機構１４によって折畳み状態のはしご２０ａをかご枠１１を固定する。
【００２３】
図５に示すように、折畳み収納式はしご２０は、一対のはしご縦棒２１と１つのはしごステップ２２を１組のはしご構成要素とし、このはしご構成要素を多数連ならせた構造である。はしごステップ２２の両端のピン支持部は、回転方向に自由であるため、連結されている各はしご構成要素はそれぞれ折畳み可能となる。また、図６及び図７に示すように、上下のはしご縦棒２１間の連結部は、はしご縦棒２１にストッパ部２１ａを設けて、次に連結されているはしご構成要素の回転可動範囲を制限する構造にしてある。
【００２４】
また、はしご使用状態２０ｃでは、はしご連結部の回転を拘束するため、図８に示すような可動固定装置２３と突起状ストッパ２４を設置している。可動固定装置２３は、はしご使用状態２０ｃにおいて、図６のように下方へスライドさせて下側に連結されているはしご縦棒２１の上端部を固定し、また下側に連結されているはしご縦棒２１の上端部よりもやや下方部を上側のはしご縦棒２１のストッパ部２１ａで固定する。また突起状ストッパ２４は、図６に示すように、各はしご縦棒２１が平行となった際、下側のはしご構成要素のはしご縦棒２１の上端部に設けられた突起状ストッパ２４が上側のはしご構成要素のはしご縦棒２１にある窪み２５に嵌り込むことで固定するものである。この可動固定装置２３と突起状ストッパ２４とは同時に設けておくことも、その何れか一方だけを設けておくこともできる。尚、はしご縦棒２１の回転方向は折畳み構成上、１組のはしご構成要素毎に逆方向となって連結されるため、はしご縦棒２１のストッパ部２１ａ及び可動固定装置２３は１組毎に逆方向の回転を拘束するように構成する。
【００２５】
本実施の形態によれば、第１の実施の形態と同様、エレベータホール５の近くにピットはしご２０が設けられるため、作業員が安全にピット１９とエレベータホール５との間を昇降することができ、しかも未使用時にはかご枠１１の下部に収納できるため美観性に優れ、さらに従来ピットはしごの設置のために必要としていた昇降路１０内のはしご設置スペースが不要となるため昇降路内機器のレイアウトを制限していた１つの要素を排除できる。さらに本実施の形態では、多数のはしごステップを折り重ねて畳めるため、かご枠１１の下部に少ない設置面積で収納可能となり、かつ収納状態のピットはしご２０ａが利用客の視界により入りづらくなるため、さらに美観性を高めることができる。
【００２６】
（第３の実施の形態）本発明の第３の実施の形態のピットはしご付きエレベータかごについて、図９〜図１３を用いて説明する。本実施の形態は、従来昇降路内に常設されていたピットはしごの設置スペースを、かご外観及びかご内から遮蔽されたかご枠１１とかご室１との隙間に移し、はしごを使用する際は、かご枠１１の下部からピットはしご２６をスライドさせて引き出し、あるいは引き延ばすことでそのはしご２６ｂを使用して作業員がピット１９とエレベータホール５との間を昇降できるようにする機構を特徴とする。
【００２７】
本実施の形態では、ピットはしご２６をスライド可能ないし伸縮可能とすることで、遮蔽されたかご枠１１の内部にピットはしご２６ａを全て収納できる構造にしている。この構造の一例は図１０、図１１に示してある。図１１に示すように、凹状はしご縦棒２７と凸状はしご縦棒２８とが対を成して構成され、それらのはしご縦棒２７，２８に多数のはしごステップ２９が等間隔に設置されている。図１０に示すように、はしご２６は、凹状はしご縦棒２７と凸状はしご縦棒２８との凹凸部の嵌合により長さ方向にスライド可能となっている。対を成す凹状はしご縦棒２７と凸状はしご縦棒２８が互いに外れることのないよう端部には下ストッパ３１ａ、上ストッパ３１ｂそれぞれが設けられている。尚、本スライド機構のはしご２６を多数連結する場合は、中間のはしご縦棒の形状を、内側に凹状、外側に凸状のスライド構造のものとすることで可能となる。
【００２８】
またピットはしご２６を伸縮可能と構造とした一例は、図１２、図１３に示してある。本例の伸縮可能なピットはしご２６は、図１２に示すように、はしご縦棒３０を丸パイプとし、一対の丸パイプのはしご縦棒３０とそれらの下端に設けられた１つのはしごステップ２９から１組のはしご構成要素を構成し、それを多数連ねて本例のピットはしご２６を構成している。本例の伸縮可能なピットはしご２６では、図１３に示すように、はしご使用時には、下側のはしご構成要素はしご縦棒３０の上端に設置された円状ストッパ３２が上側のはしご構成要素のはしご縦棒３０の下端のストッパ部３３に当たることで、上下のはしご縦棒３０の連結部が外れることを防止している。尚、かご枠１１の内部にピットはしご２６を収納する時には、かご枠１１の下部に設置された蓋を締めることで収納状態を保持する。あるいは単純にベルトで縛り止めたり、係止金具によってはしご下端部をかご枠１１の下部に係止したりする構成であってもよい。
【００２９】
本実施の形態によれば、第１の実施の形態と同様、エレベータホール５の近くにピットはしご２６を設けられるため、そのはしご２６を使用することで作業員が安全にピットとエレベータホール５との間を昇降することができ、従来のピットはしご装置を設置していた昇降路スペースが不要となるため昇降路内の機器のレイアウトを制限していた１つの要素を排除できる。さらに本実施の形態では、ピットはしごを収納するためにかご枠１１の下部に必要な面積を極力減らせ、さらには利用客の視界からピットはしご２６を完全に見えなくすることができるため、美観性のさらなる向上が図れる。
【００３０】
尚、本実施の形態で採用した図１０、図１１に示したスライド式のピットはしご２６、また図１２、図１３に示した伸縮式のピットはしご２６は、上記第１の実施の形態のかご枠１１の下への回転収納式のピットはしご１３として採用することができる。そしてその場合には、第１の実施の形態の効果に加え、ピットはしご収納時のさらなる省スペース化が期待でき、例えば、かご枠１１の下部にピットはしご全長の収納スペースを確保できない場合やかご枠１１の内部に収納スペースを設けられない場合において有効であり、かつ第２の実施の形態のような可動固定装置２３なるものが必要ないため、ロック機構１４を外すのみで使用可能であるという作業性の良さを引き継ぐことができる。
【００３１】
（第４の実施の形態）本発明の第４の実施の形態のピットはしご付きエレベータかごについて、図１４を用いて説明する。本実施の形態は、第１の実施の形態に加え、回転機構のピン１５に、モータ３４を設置して、モータの回転出力によりピン１５を回転させる構成にしている。これにより、モータ３４を駆動させることにより、ピン１５が回転し、これに伴ってはしご１３も回転する。
【００３２】
本実施の形態によれば、第１の実施の形態の効果に加え、はしご使用状態１３ｂと収納状態１３ａとを自動的に行えるので、作業者がはしご１３を手動で回転させる作業を削減でき、作業性が向上する。
【図面の簡単な説明】
【００３３】
【図１】本発明の第１の実施の形態のピットはしご付きエレベータかごの側面図。
【図２】上記実施の形態におけるはしご取付けブラケットの斜視図。
【図３】上記実施の形態におけるはしご収納時のロック機構の側面図。
【図４】本発明の第２の実施の形態のピットはしご付きエレベータかごの側面図。
【図５】上記実施の形態における折畳み式はしごの正面図。
【図６】上記実施の形態における折畳み式はしごのストッパ機構部分の斜視図。
【図７】上記実施の形態における折畳み式はしごのはしご縦棒の下端部の斜視図。
【図８】上記実施の形態における折り畳み式はしごに用いる可動固定装置の斜視図。
【図９】本発明の第３の実施の形態のピットはしご付きエレベータかごの側面図。
【図１０】上記実施の形態におけるピットはしごの別例の上下のはしご構成要素の連結部の斜視図及び平面図。
【図１１】上記実施の形態におけるピットはしごの別例の上下のはしご構成要素の連結部のストッパ機構を示す斜視図。
【図１２】上記実施の形態におけるピットはしごのさらに別例の縮状態の斜視図及び上下のはしご構成要素の連結部の斜視図。
【図１３】上記実施の形態におけるピットはしごのさらに別例の上下のはしご構成要素の連結部のストッパ機構を示す斜視図。
【図１４】本発明の第４の実施の形態のピットはしご付きエレベータかごに採用されるピットはしごの平面図及び側面図。
【図１５】一般的なエレベータ設備の平面図。
【符号の説明】
【００３４】
１…かご室、５…エレベータホール、９…昇降路壁、１０…昇降路、１１…かご枠、１２…防振ゴム、１３…回転収納はしご、１３ａ…収納状態の回転収納はしご、１３ｂ…使用状態の回転収納はしご、１４…ロック機構、１４ａ…ピン、１５…ピン、１６…トーガード、１７…ストッパ兼用取付ブラケット、１８…突出部、１９…ピット、２０…折畳み収納式はしご、２０ａ…折畳み収納状態の折畳み収納式はしご、２０ｂ…展開途中の状態の折畳み収納式はしご、２０ｃ…使用状態の折畳み収納式はしご、２１…はしご縦棒、２２…ステップ、２３…可動固定装置、２４…ストッパ、２５…窪み、２６…スライド式はしご、２６ａ…収納状態のスライド式はしご、２６ｂ…使用状態のスライド式はしご、２７…伸縮収納式はしごの凹状はしご縦棒、２８…伸縮収納式はしごの凸状はしご縦棒、２９…ステップ、３０…丸パイプはしご縦棒、３１ａ…下ストッパ、３１ｂ…上ストッパ、３２…上ストッパ、３３…下ストッパ、３４…モータ
【図１】
2007204158.tif 000003
【図２】
2007204158.tif 000004
【図３】
2007204158.tif 000005
【図４】
2007204158.tif 000006
【図５】
2007204158.tif 000007
【図６】
2007204158.tif 000008
【図７】
2007204158.tif 000009
【図８】
2007204158.tif 000010
【図９】
2007204158.tif 000011
【図１０】
2007204158.tif 000012
【図１１】
2007204158.tif 000013
【図１２】
2007204158.tif 000014
【図１３】
2007204158.tif 000015
【図１４】
2007204158.tif 000016
【図１５】
2007204158.tif 000017